(57)【要約】【課題】ストーンベッド、すなわち、石板２１及び電熱板２２を備えた床暖房式のベッドにおいて、構成を簡素化することで製造コストを節減するとともに取り扱いを容易にし、また、運搬作業を容易に行うことができるようにしたものを提供する。【解決手段】貫通構造をなすマット部材１の設置用中空部１１に、締結手段Ｎにより取り付けられる係止片１３を設け、前記マット部材１の設置用中空部１１の底面に、締結手段Ｎにより結合される密閉構造の密着固定板３が取り付けられ、前記設置用中空部１１に積層内設される石板２１と支持板２２と電熱板２３と固定板２３とが、マット部材１の上下方へと離脱するのを防止し、さらに、前記密着固定板１３の下面に、多数個の着脱組み付け具４１を持つ格子状の支持フレーム４を取り付け、前記支持フレーム４の各着脱組み付け具４１に組み付け・分解が可能な支持脚５を締結固定した。【選択図】  図４
2005034165.tif 000002
【特許請求の範囲】
【請求項１】
貫通構造をなすマット部材の設置用中空部に、締結手段により取り付けられる係止片を設け、
前記マット部材の設置用中空部の底面に、締結手段により結合される密閉構造の密着固定板が取り付けられ、前記設置用中空部に積層内設される石板と支持板と電熱板と固定板とが、マット部材の上下方へと離脱するのを防止し、
さらに、前記密着固定板の下面に、多数個の着脱組み付け具を持つ格子状の支持フレームを取り付け、前記支持フレームの各着脱組み付け具に組み付け・分解が可能な支持脚を締結固定したことを特徴とするマット一体型のストーンベッド。
【請求項２】
前記支持脚にキャスターを取り付けて位置移動の利便性を付与したことを特徴とする請求項１に記載のマット一体型のストーンベッド。
【請求項３】
前記石板の上方に、多数個の温熱伝達孔を持つクッション部材を積層し、クッション機能が与えられるようにしたことを特徴とする請求項１に記載のマット一体型のストーンベッド。
【請求項４】
前記マット部材と、密着固定板と、支持フレームと、支持脚との結合からなるストーンベッドについて、締結突起を持つ第１フレーム部と、締結凹部を持つ第２フレーム部とに分割形成し、前記支持フレームについても、これらと等しく分割されて結合手段により結合される嵌合構造を形成し、選択的な分解や組み付けを可能にしたことを特徴とする請求項１に記載のマット一体型のストーンベッド。
【請求項５】
マット部材に貫通形成される設置用中空部と、
前記設置用中空部の内側に、締結手段により結合される直角折り曲げ構造の係止片と、
前記係止片に係合される積層構成部と、
前記積層構成部がマット部材の設置用中空部に挿入された状態で固定するための支持フレームと、
前記支持フレームの中央部と隅部に着脱可能に結合される支持台とからなるマット一体型の床暖房式ベッドであって、
前記積層構成部をなす石板、支持板、電熱板、及び固定板が、コの字状の金属固定部により一体に形成されて前記設置用中空部に挿入されたことを特徴とするマット一体型の床暖房式ベッド。
【発明の詳細な説明】
【０００１】
【発明の属する技術分野】
本発明は、ストーンベッドに関する。詳しくは、マットと型フレームとからなる通常のストーンベッドから、前記型フレームを排除したマット構成のみの形態にし、選択的に分解・組み付け可能とした一つの簡素化されたベッドを形成できるようにしたマット一体型のストーンベッドに関する。
【０００２】
【従来の技術】
一般にストーンベッドとは、オンドル（韓国の伝統的な床暖房、すなわちＴｈｅ  Ｋｏｒｅａｎ  ｕｎｄｅｒ−ｆｌｏｏｒ  ｈｅａｔｉｎｇ  ｓｙｓｔｅｍ）文化になれている韓国内使用者等の就寝環境に適するように研究・開発された寝具手段の一種であり、この様なストーンベッドは、通常、図１に示すように構成される。すなわち、ベッドの全体的外形を構成する必須的基礎骨格構成としての型フレーム１０を形成し、前記型フレーム１０の上面に据え付けるための補助構成としての固定板２０と、電熱板３０と、支持板４０と、石板５０とを順次に積層内設したマット６０を形成することによって形成される。
【０００３】
しかし、上記のような従来のストーンベッドは、型フレームを必須的な基礎構成とし、その上方にマットを据付設置する製品形態であって、型フレームの具備に伴う製造コストの上昇により、相当に経済性が低下するという問題がある。また、引っ越しまたは選択的な位置変更のために、上記ストーンベッドを運搬する場合、型フレームを組み込むことによる過度の体積及び重量のために、運搬作業が容易に行えないという煩わしさや取り扱い上の問題がある。
【０００４】
また、前述した従来のストーンベッドは、マットを形成する固定板、電熱板、支持板及び石板の構成が、別途の固定手段なしに、その自重によって単純に積層された構造を有しており、そのため、運搬などの取り扱い中に、マットがひっくり返ることがある。また、垂直に立てた場合に、上記一連の積層構成部（固定板、電熱板、支持板及び石板）がマットから離脱し、製品を破損または損傷させる等、相当な構造上の問題点をもったままであった。
【０００５】
【発明が解決しようとする課題】
そこで、本発明は、従来のストーンベッドについての上述した問題点を解決しようとなされたものである。すなわち、本発明は、型フレームを排除した簡素化された構造をなし、製品の製造原価を節減し、経済性を向上させるとともに、前記簡素化構成による取り扱いの利便性を付与することで、引っ越し等といった製品の設置場所の移動時に、その運搬作業を容易に行うことができるようにしたマット一体型ストーンベッドを提供することを技術的課題とする。
【０００６】
さらに、本発明は、マット内部に内設される一連の積層構成部（石板、支持板、電熱板及び固定板）を堅固な取り付け構造によって固定し、運搬等の取り扱いの過程における積層構成部の離脱を防止するとともに、この様な積層構成部の離脱防止によって製品の損傷及び破損を予防できるようにしたマット一体型のストーンベッドを提供することを技術的課題とする。
【０００７】
【課題を解決するための手段】
上記技術的課題を解決するために講じた本発明の第１の発明は、通構造をなすマット部材の設置用中空部に、締結手段により取り付けられる係止片を設け、前記マット部材の設置用中空部の底面に、締結手段により結合される密閉構造の密着固定板が取り付けられ、前記設置用中空部に積層内設される石板と支持板と電熱板と固定板とが、マット部材の上下方へと離脱するのを防止し、さらに、前記密着固定板の下面に、多数個の着脱組み付け具を持つ格子状の支持フレームを取り付け、前記支持フレームの各着脱組み付け具に分解・組み付けが可能な支持脚を締結固定したことを特徴とする。
【０００８】
本発明の第２の発明においては、前記支持脚にキャスターを取り付けて位置移動の利便性を付与する。また、本発明の第３の発明においては、前記石板の上方に、多数個の温熱伝達孔を持つクッション部材を積層し、クッション機能が与えられるようにした。
【０００９】
さらに、本発明の第４の発明においては、前記マット部材と、密着固定板と、支持フレームと、支持脚との結合からなるストーンベッドについて、締結突起を持つ第１フレーム部と、締結凹部を持つ第２フレーム部とに分割形成し、前記支持フレームについても、これらと等しく分割されて結合手段により結合される嵌合構造を形成し、選択的な分解や組み付けを可能にした。
【００１０】
本発明の第５の発明は、マット部材に貫通形成される設置用中空部と、前記設置用中空部の内側に、締結手段により結合される直角折り曲げ構造の係止片と、前記係止片に係合される積層構成部と、前記積層構成部がマット部材の設置用中空部に挿入された状態で固定するための支持フレームと、前記支持フレームの中央部と隅部に着脱される支持台とからなるマット一体型の床暖房式ベッドであって、前記積層構成部をなす石板、支持板、電熱板、及び固定板が、コの字状の金属固定部により一体に形成されて前記設置用中空部に挿入されたことを特徴とする。
【００１１】
【発明の実施の形態】
前述した本発明の目的、特徴及び構造上のいくつかの点について、添付図面を参照し、以下に記述される本発明の詳細かつ好ましい実施例の説明によって、より明らかにする。図面内の同一ないし類似の部分等は、説明及び理解の便宜上、同一ないし類似の参照符号を付している。
【００１２】
図２〜３は、本発明の第１の実施例に係るマット一体型のストーンベッドの上方及び下方側からの斜視図であり、図４は、本実施例に適用されるマット部材の断面結合状態図である。図示のように、本発明に係るマット一体型のストーンベッドは、マット部材１及び積層構成部２と、密着固定板３と、支持フレーム４と、支持脚５とからなる。
【００１３】
ここで、前記マット部材１は、所定の厚みを持つ長方形の板状体であり、その中央部に、図４に示すような長方形の貫通構造の設置用中空部１１を形成している。一方の側部の上面に直立構造の遮断板１２を形成するのが良い。特に、このようなマット部材１において、前記設置用中空部１１の内側壁面には、直角折り曲げ構造をなす係止部材として、締結手段Ｎ（ネジまたはボルト等）により固定・設置される係止片１３を取り付けるのが好ましい。
【００１４】
また、前記積層構成部２は、前述したマット部材１の設置用中空部１１に内設される一連の部品構成であり、図４に示すように、マットの表面をなす石板２１を基準として、その底面側に、緩衝作用を行う支持板２２と、電気的発熱作用を行う電熱板２３と、支持機能をおこなう固定板２４とを順次に積層する構造をなす。
【００１５】
さらに、前記密着固定板３は、前述した一連の積層構成部２を堅固な密閉構造で結合する固定手段であり、このような密着固定板３は、図４に示すように、締結手段Ｎ（ネジまたはボルト等）により取り付けられる長方形の板状体の構造として設けるのが好ましい。
【００１６】
また、前記支持フレーム４は、前述したマット部材１と、密着固定板３を支持するように、一つのベッドを構成する本発明の要点をなす構成である。持フレーム４は、図３に示すように長方形状の格子構造とし、その中央部と四方の各隅部の個所に、多数個の着脱組み付け具４１を備えるように構成するのが好ましい。
【００１７】
また、前記支持脚５は、前述した支持フレーム４の着脱組み付け具４１に選択的に結合される通常の支持手段である。このような支持脚５は、所定の長さを持つ円柱状の構造であって、一方の端部に、図３（キャスターは未図示）に示すように選択的な組み付け構造をなす締結ネジ部５１を形成している。前記締結ネジ部５１とは逆側の他方の端部には、図２に示すように、ストーンベッドの設置時における位置移動の便利さを付与できるように、キャスター５２を取り付けるのが好ましい。
【００１８】
上記のような構成を持つマット一体型のストーンベッドを組み立てるには、次のように行なう。
【００１９】
まず、図４に示すように、係止片１３が設けられた、マット部材１の設置用中空部１１に、石板２１と、支持板２２と、電熱板２３と、固定板２４とを順次積層して内設する。そして、前記係止片１３により、一連の積層構成部２がマット部材１上面に離脱しないように固定し、さらには、設置用中空部１１に内設された積層構成部２の底面に、密着固定板３を締結手段Ｎによる結合されるようにする。このようにして、前記積層構成部２が、設置用中空部１１内に、固定されて取り付けられた構造で受容されるようにする。
【００２０】
また、上記のような結合状態の下で、前記密着固定板３の底面に、格子状の支持フレーム４を一体に取り付け、このように取り付けられた支持フレーム４の着脱組み付け具４１には、分解・組み付けが可能な形態の支持脚５を締結する。これにより、本発明に係るマット一体型のストーンベッドを形成することができる。
【００２１】
上記のような結合構造からなる本発明のマット一体型のストーンベッドは、支持フレーム４及び支持脚５によって設置される構造であり、マット部材１自体といえる構成のみで、一つの完成されたストーンベッドを構成する。支持脚５を選択的に脱着できることから、設置場所の移動に伴うストーンベッドの運搬作業時、嵩を小さくして、取り扱い上の利便性を付与することができる。
【００２２】
一方、図５〜６は、本発明に係るマット一体型ストーンベッドの第２の実施例である。第２の実施例のマット一体型ストーンベッドは、設置用中空部１１に積層内設される石板１１と、支持板２２と、電熱板２３と、固定板２４とからなる構成において、マットの表面をなす前記石板２１の上方に、多数個の温熱伝達孔Ｐを持つクッション部材２５を、選択的に付加積層するものである。
【００２３】
このような他の実施例としてのストーンベッドであると、石板２１の堅い性質によってその使用を忌避している利用者らに対応できるのであり、一定のクッション力を与えるとともに、温熱伝達孔Ｐを通じて、ストーンベッドから発する保温熱を使用者の身体に容易に伝えられるようにすることができる。
【００２４】
前記クッション部材２５は、圧縮スポンジまたは弾性をもつ高密度合成樹脂等からなり、前記クッション部材２５の上面から下面へと多数個の孔（温熱伝達孔Ｐ）が貫通されていて、電熱板２３からの熱気を使用者に伝達する。
【００２５】
一方、図７〜８には、本発明に係るマット一体型ストーンベッドの第３の実施例を示す。このようなマット一体型ストーンベッドは、図７に示すように、一連の結合構成をもつ上記第１の実施例のストーンベッドを、第１フレーム部１００と、第２フレーム部２００とに分離し、これを使用者の選択によって、互いに結合して構成できるようにした。
【００２６】
ここで、前記第１フレーム部１００の結合部位には、図７に示したように、一対の締結突起１０１を形成し、前記第２フレーム部２００の結合部位には、一対の締結凹部２０１を形成し、締結突起１０１と締結凹部２０１との結合により、第１フレーム部１００と、第２フレーム部２００とを選択的に組み合わせるものである。
【００２７】
この際、前記の第１フレーム部１００と第２フレーム部２００とに分離されて結合される構成によって、上記第１の実施例における支持フレーム４についても、これら第１及び第２フレーム部１００，２００と等しい具合に分割された形態に構成される。このような支持フレーム４は、図８に示すように、互いに噛み合わされる構造で形成され、別途の締結手段Ｎを用いて、その結合部位に堅固な固定力を与えるようにされる。
【００２８】
一方、図９〜１０には、本発明に係るマット一体型ストーンベッドの第４の実施例を示す。同様に、マット部材１及び積層構成部２と、密着固定板３と、支持フレーム４と、支持脚５とを備える。このマット部材１は、一定の厚みをもつ長方形板状体であり、その中央部に、図４に示すのと同様に、長方形貫通構造の設置用中空部１１を形成し、また、一方の側部の上面に遮断板１２を設けて構成される。特に、このようなマット部材１１において、前記設置用中空部１１の内側の壁面には、直角折り曲げ構造をなす係止部材として、締結手段Ｎ（ネジまたはボルト等）により固定・設置される係止片１３を取り付ける。このように構成することは、上記の各実施例と同様である。
【００２９】
但し、第４の実施例においては、図９〜１０に示すように、積層構成部２をなす石板２１、支持板２２、電熱板２３、及び固定板２４が、コの字形状をなす金属固定部３００により、一体にまとめられて、前記設置用中空部１１に挿入されたことを特徴とする。
【００３０】
上記の通り、金属固定部３００を用いて、積層構成部２を一体にまとめたことで、移送及び設置が自在となり、それぞれの材料の角部位の破損などを未然に防止することができる。
【００３１】
【発明の効果】
以上に説明したように、本発明に係るマット一体型ストーンベッドは、型フレームを排除した簡素化された構成であり、製造原価を節減して経済性を向上させただけでなく、該簡素化された構成としての取り扱いの便利さが与えられるのであって、引っ越し等の製品設置場所の移動時、その運搬作業を容易に行うことができる。
【００３２】
また、マット部材内部に内設される一連の積層構成部（石板、支持板、電熱板、固定板）を係止片と、密着固定板及び金属固定部によって、堅固に密着して固定される構造とし、運搬等の取り扱いの過程における積層構成部の離脱が防止される。これにより、製品の損傷及び破損の危険を未然に予防することができる。
【図面の簡単な説明】
【図１】従来のストーンベッドの構成状態図である。
【図２】第１の実施例に係るマット一体型のストーンベッドの斜視図である。
【図３】第１の実施例に係るマット一体型のストーンベッドの、下方側の斜視図である。
【図４】第１の実施例に適用されるマット部材の積層結合状態を示す断面図である。
【図５】第２の実施例に係るマット一体型のストーンベッドの斜視図である。
【図６】第２の実施例に適用されるマット部材の積層結合状態を示す断面図である。
【図７】第３の実施例に係るマット一体型のストーンベッドの分離状態での斜視図である。
【図８】第３の実施例に係るマット一体型のストーンベッドの断面図である。
【図９】第４の実施例に係るマット一体型のストーンベッドの、下方側からの分解斜視図である。
【図１０】第４の実施例に適用されるマット部材の積層結合状態を示す断面図である。
【符号の説明】
１  マット部材
２  積層構成部
３  密着固定板
４  支持フレーム
５  支持脚
１１  設置用中空部
１２  遮断板
１３  係止片
２１  石板
２２  支持板
２３  電熱板
２４  固定板
２５  クッション部材
４１  着脱組み付け具
５１  締結ネジ部
５２  キャスター
１００  第１フレーム部
２００  第２フレーム部
３００  金属固定部
Ｎ  締結手段
【図１】
2005034165.tif 000003
【図２】
2005034165.tif 000004
【図３】
2005034165.tif 000005
【図４】
2005034165.tif 000006
【図５】
2005034165.tif 000007
【図６】
2005034165.tif 000008
【図７】
2005034165.tif 000009
【図８】
2005034165.tif 000010
【図９】
2005034165.tif 000011
【図１０】
2005034165.tif 000012